(57)【特許請求の範囲】
【請求項１】
信号入力端子と、信号出力端子と、前記信号入力端子と前記信号出力端子との間に択一的に接続され、互いに信号伝送利得特性が異なる少なくとも二つの電子回路と、前記電子回路を前記信号入力端子と前記信号出力端子との間に択一的に選択接続させるスイッチとを備え、前記スイッチによって前記信号入力端子から前記信号出力端子へ伝送される信号の伝送利得を切り替えるための信号伝送利得切替回路において、
前記電子回路の少なくとも一つが、前記信号入力端子と前記信号出力端子との間の信号の伝送を遮断するカットオフ回路であり、
前記信号入力端子と前記信号出力端子との間に、信号迂回路が常時接続され、
前記スイッチによって前記カットオフ回路が前記信号入力端子と前記信号出力端子との間に接続されたときに、前記信号入力端子側における信号電位を接地電位に短絡するとともに前記信号出力端子側における信号電位を接地電位に対して開放状態にするように、又は、前記信号出力端子側における信号電位を接地電位に短絡するとともに前記信号入力端子側における信号電位を接地電位に対して開放状態にするように構成されていることを特徴とする信号伝送利得切替回路。
【請求項２】
信号入力端子と、信号出力端子と、前記信号入力端子と前記信号出力端子との間に択一的に接続され、互いに信号伝送利得特性が異なる少なくとも二つの電子回路と、前記電子回路を前記信号入力端子と前記信号出力端子との間に択一的に選択接続させるスイッチとを備え、前記スイッチによって前記信号入力端子から前記信号出力端子へ伝送される信号の伝送利得を切り替えるための信号伝送利得切替回路において、
前記電子回路の少なくとも一つが、前記信号入力端子と前記信号出力端子との間の信号の伝送を遮断するカットオフ回路であり、
前記信号入力端子と前記信号出力端子との間に、信号迂回路が常時接続され、
前記スイッチによって前記カットオフ回路が前記信号入力端子と前記信号出力端子との間に接続されたときに、前記信号入力端子側における信号電位を接地電位に短絡するとともに前記信号出力端子側における信号電位を３００Ω以上の抵抗を介して接地電位に接続するように、又は、前記信号出力端子側における信号電位を接地電位に短絡するとともに前記信号入力端子側における信号電位を３００Ω以上の抵抗を介して接地電位に接続するように構成されていることを特徴とする信号伝送利得切替回路。
【請求項３】
前記カットオフ回路以外の電子回路が、前記信号入力端子からの信号を無減衰で前記信号出力端子へ伝送するスルー回路であることを特徴とする、請求項１又は請求項２に記載の信号伝送利得切替回路。
【請求項４】
前記カットオフ回路以外の電子回路が、前記信号入力端子からの信号に予め定められた減衰量の減衰を与えて前記信号出力端子へ伝送する減衰回路であることを特徴とする、請求項１又は請求項２に記載の信号伝送利得切替回路。
【請求項５】
前記電子回路として、前記信号入力からの信号を無減衰で前記信号出力端子へ伝送するスルー回路と、前記信号入力端子からの信号に予め定められた減衰量の減衰を与えて前記信号出力端子へ伝送する減衰回路と、前記信号入力端子と前記信号出力端子との間の信号の伝送を遮断するカットオフ回路とを備え、
前記スイッチが、前記電子回路を前記信号入力端子と前記信号出力端子との間に択一的に選択接続させる三つの切替位置を有することを特徴とする、請求項１又は請求項２に記載の信号伝送利得切替回路。
【発明の詳細な説明】
【技術分野】
【０００１】
本発明は、信号伝送利得切替回路に関し、より詳細には、信号入力端子と、信号出力端子と、信号伝送利得特性が異なる少なくとも二つの電子回路と、これらの電子回路を信号入力端子と信号出力端子との間に択一的に選択接続させるスイッチとを備え、スイッチにより、伝送される信号の伝送利得を切り替えるための信号伝送利得切替回路に関する。
【背景技術】
【０００２】
信号線上を伝送される信号を選択的に減衰させたり、信号を遮断（カットオフ）する必要があるような場合に、信号線の途中に挿入される回路として、図３に示すような信号伝送利得切替回路が知られている。この回路は、信号入力端子Ｐ１と、信号出力端子Ｐ２と、信号伝送利得特性が異なる三つの電子回路（第１の電子回路Ａ１、第２の電子回路Ａ２、第３の電子回路Ａ３）と、スイッチＳＷとを備えている。
【０００３】
第１の電子回路Ａ１は、いわゆるスルー回路であり、入力側からの信号を無減衰で出力側へ伝送する。第２の電子回路Ａ２は、入力側からの信号に減衰を与えて出力側へ伝送する減衰回路であり、ここでは、抵抗Ｒ１〜Ｒ３からなるπ型抵抗減衰回路が用いられている。第３の電子回路Ａ３は、入力側と出力側との間の信号伝送を遮断するカットオフ回路であり、接地電位との間の終端抵抗となる抵抗Ｒ４，Ｒ５を、入力側及び出力側にそれぞれ備えている。
【０００４】
スイッチＳＷは、三つの電子回路（Ａ１〜Ａ３）を、信号入力端子Ｐ１と信号出力端子Ｐ２との間に択一的に選択接続させるものであり、ここでは、入力側の四つの接点Ｓ１１〜Ｓ１４と、出力側の四つの接点Ｓ２１〜Ｓ２４と、連動する一対の操作スライド接点Ｓ１０，Ｓ２０（電気的に絶縁されている）とを有し、操作スライド接点Ｓ１０，Ｓ２０をスライドさせることにより、三位置の切替を実現できる二回路三接点の手動有接点スイッチ（スライドスイッチ）が用いられている。
【０００５】
操作スライド接点Ｓ１０，Ｓ２０が、図３において実線で示す位置（無減衰接続位置）にある場合、入力側では、接点Ｓ１２が接点Ｓ１３のみに接続され、接点Ｓ１１，Ｓ１４に対しては非接続となり、出力側でも、接点Ｓ２２が接点Ｓ２３のみに接続され、接点Ｓ２１，Ｓ２４に対しては非接続となるため、信号入力端子Ｐ１から入力された信号は、第１の電子回路Ａ１（スルー回路）を介して、信号出力端子Ｐ２へ無減衰で伝送される。
【０００６】
一方、操作スライド接点Ｓ１０，Ｓ２０が、図３において一点鎖線Ａｔｔで示す位置（減衰接続位置）にある場合、入力側では、接点Ｓ１２が接点Ｓ１１のみに接続され、接点Ｓ１３，Ｓ１４に対しては非接続となり、出力側でも、接点Ｓ２２が接点Ｓ２１のみに接続され、接点Ｓ２３，Ｓ２４に対しては非接続となるため、信号入力端子Ｐ１から入力された信号は、第２の電子回路Ａ２（π型抵抗減衰回路）によって減衰されて、信号出力端子Ｐ２へ伝送される。
【０００７】
また、操作スライド接点Ｓ１０，Ｓ２０が、図３において二点鎖線Ｃｕｔで示す位置（カットオフ位置）にある場合、入力側では、接点Ｓ１２が接点Ｓ１４のみに接続され、接点Ｓ１１，Ｓ１３に対しては非接続となり、出力側でも、接点Ｓ２２が接点Ｓ２４のみに接続され、接点Ｓ２１，Ｓ２３に対しては非接続となるため、信号入力端子Ｐ１から入力された信号は、第３の電子回路Ａ３を構成する抵抗Ｒ４を終端抵抗として接地され、信号出力端子Ｐ２側には現れず、従って、カットオフ状態となる。また、出力側からみた入力側のリターンロスは、主に抵抗Ｒ５によるインピーダンスで定まる値となる。
【０００８】
図３に示す従来の信号伝送利得切替回路では、スイッチＳＷの不具合（例えば、有接点スイッチの場合の機械的故障や、接点間の酸化、硫化による接触不良、或いは、無接点スイッチの場合の劣化や動作上の瞬断など）により、無減衰接続位置、減衰接続位置、及び、それらの切替過程において、信号入力端子Ｐ１と信号出力端子Ｐ２との間の信号伝送が、スイッチＳＷの導通部分で断たれ、従って、信号伝送状態における通信断の現象が生じる恐れがある。
【０００９】
このような不都合は、信号入力端子Ｐ１と信号出力端子Ｐ２との間に常時接続の信号迂回路を形成すること（例えば、図３に示す抵抗Ｒ１を、π型抵抗減衰回路（Ａ２）から切り離し、図４に示すように常時接続の状態とすること等）によって解決することができる。尚、この方法は、公知の信号伝送利得切替回路において既に採用されており、例えば、特開平７−７９１２６号公報、及び、特開２００７−２９５４８１号公報には、無減衰接続状態と減衰接続状態との切替に際して、π型抵抗減衰回路（Ａ２）から切り離した抵抗Ｒ１を、入出力端子間に信号迂回路として常時接続しておくことが開示され、また、特開２００３−３０９４５４号公報には、同様の信号迂回路に加えて、更にスイッチの切替時における高周波信号の通過位相変動を補正するリアクタンス素子を組み合わせた可変減衰器が開示されている。
【先行技術文献】
【特許文献】
【００１０】
【特許文献１】特開平７−７９１２６号公報
【特許文献２】特開２００７−２９５４８１号公報
【特許文献３】特開２００３−３０９４５４号公報
【発明の概要】
【発明が解決しようとする課題】
【００１１】
特許文献１〜３に開示されている従来技術はいずれも、常時接続の信号迂回路を設けることによって、信号伝送状態におけるスイッチの不具合による通信断を回避するには有効であるが、カットオフ状態への切替機能を有する信号伝送利得切替回路にそのまま採用すると、カットオフ時に信号迂回路を介して入出力間の信号漏洩が生じるという問題が生じる。
【００１２】
この点について詳細に説明すると、図４に示すように、スイッチＳＷの操作スライド接点Ｓ１０，Ｓ２０がカットオフ位置に切り替えられた状態では、信号入力端子Ｐ１が抵抗Ｒ４を介して接地され、また、信号出力端子Ｐ２も抵抗Ｒ５を介して接地されるが、接点Ｓ１２と接点Ｓ２２の間に常時接続の信号迂回路として抵抗Ｒ１が存在するため、信号入力端子Ｐ１から入力された信号が信号出力端子Ｐ２へ漏洩して、完全なカットオフ状態が得られず、また、出力側からみた入力側のリターンロスも、抵抗Ｒ５と抵抗Ｒ１及び入力側インピーダンスと抵抗Ｒ４の合成インピーダンスで定まる値となる。
【００１３】
本発明は、上記のような従来技術における課題を解決しようとするものであり、信号伝送利得特性が異なる複数の電子回路が入出力端子間に択一的に選択接続される信号伝送利得切替回路において、選択接続される電子回路のいずれかがカットオフ回路である場合に、信号伝送状態における通信断の発生を回避するとともに、入出力間の信号漏洩が少なく、実用可能なレベルにまで減衰させることができ、また、出力側からみた入力側のリターンロスについても、ある程度確保することが可能な信号伝送利得切替回路を提供することを目的とする。
【課題を解決するための手段】
【００１４】
本発明は、信号入力端子と、信号出力端子と、それらの間に択一的に接続され、互いに信号伝送利得特性が異なる少なくとも二つの電子回路と、それらの電子回路を信号入力端子と信号出力端子との間に択一的に選択接続させるスイッチとを備え、スイッチによって信号入力端子から信号出力端子へ伝送される信号の伝送利得を切り替えるための信号伝送利得切替回路において、選択接続される電子回路の少なくとも一つが信号入力端子と信号出力端子との間の信号の伝送を遮断するカットオフ回路であり、信号入力端子と信号出力端子との間に信号迂回路が常時接続され、カットオフ回路がスイッチによって信号入力端子と信号出力端子との間に接続されたときに、信号入力端子側（又は信号出力端子側）における信号電位を接地電位に短絡するとともに、信号出力端子側（又は信号入力端子側）における信号電位を接地電位に対して開放状態にする（又は３００Ω以上の抵抗を介して接地電位に接続する）ように構成されていることを特徴としている。
【００１５】
尚、カットオフ回路以外の電子回路は、信号入力端子からの信号を無減衰で信号出力端子へ伝送するスルー回路、又は、信号入力端子からの信号に予め定められた減衰量の減衰を与えて信号出力端子へ伝送する減衰回路とすることができる。また、カットオフ回路以外の電子回路は、少なくとも一つ、好適には二つ以上設けることができ、例えば、伝送利得の減衰量が０ｄＢ（即ち、スルー回路）、−３ｄＢ、−６ｄＢ、更には、ＰＩＮダイオードによる可変減衰量など、信号伝送利得特性が互いに異なる二つ以上の電子回路を、スイッチによって択一的に選択接続するように構成することも可能である。尚、これらの電子回路には、スイッチの切替時における高周波信号の通過位相変動を補正するリアクタンス素子を、更に組み合わせることも可能である。
【００１６】
また、スイッチは、入力側と出力側の二回路で連動するそれぞれ二接点以上の手動有接点スイッチ（スライドスイッチ）、差換式ジャンパープラグ、又は、電磁リレーなどの種々の形式の有接点スイッチ、或いは、同等の機能を有するスイッチングトランジスタやスイッチングダイオードなどの無接点スイッチによって構成することができる。
【００１７】
尚、本発明の信号伝送利得切替回路においては、電子回路として、信号入力からの信号を無減衰で信号出力端子へ伝送するスルー回路と、信号入力端子からの信号に予め定められた減衰量の減衰を与えて信号出力端子へ伝送する減衰回路と、信号入力端子と信号出力端子との間の信号の伝送を遮断するカットオフ回路とを備え、スイッチが、信号入力端子と信号出力端子との間にこれらの電子回路を択一的に選択接続させる三つの切替位置を少なくとも有していることが好ましい。
【発明の効果】
【００１８】
本発明の信号伝送利得切替回路は、信号入力端子と信号出力端子との間に常時接続の信号迂回路を備えることによって、スイッチの不具合による信号伝送中の通信断の発生を回避する機能を有し、かつ、カットオフ状態に切り替えられた際には、カットオフ回路が信号入力端子側（又は信号出力端子側）における信号電位を接地電位に短絡するとともに、信号出力端子側（又は信号入力端子側）における信号電位を接地電位に対して開放状態にする（又は３００Ω以上の抵抗を介して接地電位に接続する）ため、信号入力端子から入力された信号が、接地状態となり、信号出力端子側へは殆ど伝送されず、従って、入出力間の信号漏洩が少なく、実用可能なレベルにまで減衰させることができ、更に、出力側からみた入力側のリターンロスも、ほぼ信号迂回路のインピーダンスで定まる値（又は抵抗と信号迂回路のインピーダンスとの合成インピーダンスによって定まる値）で確保することができる。
【図面の簡単な説明】
【００１９】
【図１】図１は、本発明「信号伝送利得切替回路」の実施形態を示す回路図である。
【図２】図２は、本発明「信号伝送利得切替回路」の応用例を示す回路図である。
【図３】図３は、従来の信号伝送利得切替回路の一例を示す回路図である。
【図４】図４は、従来の信号伝送利得切替回路の一例を示す回路図である。
【図５】図５は、本実施形態の信号伝送利得切替回路と従来の信号伝送利得切替回路（図３及び図４に示した回路）におけるロスの実測値を示すグラフである。
【図６】図６は、本実施形態の信号伝送利得切替回路と従来の信号伝送利得切替回路（図３及び図４に示した回路）におけるリターンロスを示すグラフである。
【発明を実施するための形態】
【００２０】
以下、本発明の実施形態を説明する。図１は、本発明「信号伝送利得切替回路」の実施形態を示す回路図であり、図示されているように、この信号伝送利得切替回路は、信号入力端子Ｐ１と、信号出力端子Ｐ２と、これらの間に択一的に接続され、互いに信号伝送利得特性が異なる三つの電子回路（第１の電子回路Ａ１、第２の電子回路Ａ２、第３の電子回路Ａ３）と、スイッチＳＷとを備えている。
【００２１】
スイッチＳＷは、三つの電子回路（Ａ１〜Ａ３）を、信号入力端子Ｐ１と信号出力端子Ｐ２との間に択一的に選択接続させるものであり、ここでは、入力側の四つの接点Ｓ１１〜Ｓ１４と、出力側の四つの接点Ｓ２１〜Ｓ２４と、連動する一対の操作スライド接点Ｓ１０，Ｓ２０（電気的に絶縁されている）とを有し、操作スライド接点Ｓ１０，Ｓ２０をスライドさせることにより、三位置の切替を実現できる二回路三接点の手動有接点スイッチ（スライドスイッチ）が用いられている。
【００２２】
尚、スイッチＳＷとしては、他の形式の有接点スイッチ（例えば、差換式ジャンパープラグや電磁リレーなど）、或いは、無接点スイッチ（例えば、スイッチングトランジスタやスイッチングダイオードなど）を用いることもできる。
【００２３】
第１の電子回路Ａ１は、いわゆるスルー回路であり、入力側からの信号を無減衰で出力側へ伝送する。第２の電子回路Ａ２は、入力側からの信号に減衰を与えて出力側へ伝送する減衰回路であり、ここでは、抵抗Ｒ１〜Ｒ３からなるπ型抵抗減衰回路が用いられている。
【００２４】
但し、π型抵抗減衰回路を構成する三つの抵抗Ｒ１〜Ｒ３のうち、抵抗Ｒ１は、スイッチＳＷの操作スライド接点Ｓ１０，Ｓ２０が、図１において一点鎖線Ａｔｔで示す減衰接続位置に切り替えられたときだけ、π型抵抗減衰回路に接続され、それ以外の切替位置では、π型抵抗減衰回路から切り離されているとともに、信号入力端子Ｐ１と信号出力端子Ｐ２との間に常時接続されて、信号迂回路を構成している。
【００２５】
第３の電子回路Ａ３は、入力側と出力側との間の信号伝送を遮断するカットオフ回路であり、ここでは、入力側の接点Ｓ１４から接地電位に通じる短絡路Ｄを設け、出力側の接点Ｓ２４を開放端としている。この第３の電子回路Ａ３は、スイッチＳＷによって信号入力端子Ｐ１と信号出力端子Ｐ２との間に接続されたとき、信号入力端子Ｐ１側における信号電位を接地電位に短絡するとともに、信号出力端子側における信号電位を接地電位に対して開放状態にする。
【００２６】
スイッチＳＷの操作スライド接点Ｓ１０，Ｓ２０が、図１において実線で示す位置（カットオフ位置）にある場合、入力側では、接点Ｓ１２が接点Ｓ１４のみに接続され、接点Ｓ１１，Ｓ１３に対しては非接続となり、出力側でも、接点Ｓ２２が接点Ｓ２４のみに接続され、接点Ｓ２１，Ｓ２３に対しては非接続となる。
【００２７】
信号入力端子Ｐ１と信号出力端子Ｐ２との間には、操作スライド接点Ｓ１０，Ｓ２０の位置に拘わらず、抵抗Ｒ１が常時接続されているが、操作スライド接点Ｓ１０，２０がカットオフ位置にある場合、信号入力端子Ｐ１から入力された信号は、第３の電子回路Ａ３（カットオフ回路）を構成する短絡路Ｄにより接地され、信号出力端子Ｐ２側には現れず、従って、信号漏洩が少なく、実用可能なレベルまで信号を減衰させることができる。また、信号出力端子Ｐ２側の接点Ｓ２４は開放端とされており、信号出力端子Ｐ２側における信号電位が接地電位に対して開放状態に維持されるので、出力側からみた入力側のリターンロスは、主に抵抗Ｒ１によるインピーダンスで定まる一定値となる。
【００２８】
スイッチＳＷの操作スライド接点Ｓ１０，Ｓ２０が、図１において実線で示す位置よりも一段高い位置（無減衰接続位置）にある場合、入力側では、接点Ｓ１２が接点Ｓ１３のみに接続され、接点Ｓ１１，Ｓ１４に対しては非接続となり、出力側でも、接点Ｓ２２が接点Ｓ２３のみに接続され、接点Ｓ２１，Ｓ２４に対しては非接続となるため、信号入力端子Ｐ１から入力された信号は、第１の電子回路Ａ１（スルー回路）を介して、信号出力端子Ｐ２へ無減衰で伝送される。
【００２９】
この状態でスイッチＳＷに不具合が生じて、接点Ｓ１２，Ｓ１３間、或いは、接点Ｓ２２，Ｓ２３間の導通が断たれても、信号入力端子Ｐ１と信号出力端子Ｐ２との間には、抵抗Ｒ１が常時接続されているので、抵抗Ｒ１による一定の減衰を伴うものの、必要レベル以上での信号伝送は維持され、通信断の現象という問題を好適に回避することができる。
【００３０】
スイッチＳＷの操作スライド接点Ｓ１０，Ｓ２０が、図１において一点鎖線Ａｔｔで示す位置（減衰接続位置）にある場合、入力側では、接点Ｓ１２が接点Ｓ１１のみに接続され、接点Ｓ１３，Ｓ１４に対しては非接続となり、出力側でも、接点Ｓ２２が接点Ｓ２１のみに接続され、接点Ｓ２３，Ｓ２４に対しては非接続となるため、信号入力端子Ｐ１から入力された信号は、第２の電子回路Ａ２（π型抵抗減衰回路）で減衰を与えられて、信号出力端子Ｐ２へ伝送される。
【００３１】
尚、上述の通り、信号入力端子Ｐ１と信号出力端子Ｐ２との間には、抵抗Ｒ１が常時接続されているため、操作スライド接点Ｓ１０，Ｓ２０が減衰接続位置にある状態において、スイッチＳＷに不具合が生じて接点間の導通が断たれたような場合も、抵抗Ｒ１を介して必要レベル以上での信号伝送が維持され、通信断の現象が回避される。
【００３２】
図５は、本実施形態の信号伝送利得切替回路と従来の信号伝送利得切替回路（図３及び図４に示した回路）におけるロスの実測値を示すグラフである。この図において、符号ＶＬ１のグラフは、図３の信号伝送利得切替回路におけるロスの実測値、符号ＶＬ２のグラフは、図４の信号伝送利得切替回路におけるロスの実測値、符号ＶＬ３のグラフは、本実施形態の信号伝送利得切替回路におけるロスの実測値を示している。これらの実測値のグラフからも明らかなように、本実施形態の信号伝送利得切替回路においては、図４の信号伝送利得切替回路と比較して、−２０ｄＢ以上改善していることがわかる。
【００３３】
図６は、本実施形態の信号伝送利得切替回路と従来の信号伝送利得切替回路（図３及び図４に示した回路）におけるリターンロスを示すグラフである。この図において、符号ＲＬ１のグラフは、図３の信号伝送利得切替回路におけるリターンロス、符号ＲＬ２のグラフは、図４の信号伝送利得切替回路におけるリターンロス、符号ＲＬ３のグラフは、本実施形態の信号伝送利得切替回路におけるリターンロスを示している。これらのグラフからも明らかなように、本実施形態の信号伝送利得切替回路においては、図４の信号伝送利得切替回路と比較して、約４ｄＢ改善していることがわかる。
【００３４】
尚、本実施形態においては、図１に示すＰ１を信号入力端子として、また、Ｐ２を信号出力端子として説明したが、この信号伝送利得切替回路は、図１に示すＰ２から信号が入力され、Ｐ１から出力される（即ち、Ｐ２が信号入力端子として使用され、Ｐ１が信号出力端子として使用される）ような形で利用することもできる。
【００３５】
また、本実施形態においては、図１に示したように、出力側の接点Ｓ２４を開放端としており、これによってリターンロスを改善させることができるが、接点Ｓ２４に、抵抗値の高い（３００Ω以上）抵抗を接続した場合も、同様の効果を期待することができる。
【００３６】
図２は、本発明「信号伝送利得切替回路」の応用例を示す回路図である。この例では、スイッチＳＷの各接点に接続されている第１の電子回路Ａ１、第２の電子回路Ａ２、及び、第３の電子回路Ａ３には、給電点Ｖｃｃからの直流電流と信号電流とを濾別するコンデンサ（直流阻止／信号通過）と、チョークコイル（直流通過／信号阻止）が接続されているが、信号伝送利得切替動作に関しては、図１に示した回路と機能的に大差はない。
【産業上の利用可能性】
【００３７】
本発明の信号伝送利得切替回路は、信号伝送のカットオフ機能を有するアナログ又はデジタル信号伝送系に利用でき、低周波オーディオ信号から高周波デジタル信号まで、広範囲にわたる各種可変減衰器の信号伝送利得切替回路に好適に利用することができる。
【符号の説明】
【００３８】
Ａ１：第１の電子回路（スルー回路）、
Ａ２：第２の電子回路（減衰回路）、
Ａ３：第３の電子回路（カットオフ回路）、
Ｄ：短絡路、
Ｐ１：信号入力端子、
Ｐ２：信号出力端子、
ＳＷ：スイッチ、
Ｓ１０，Ｓ２０：操作スライド接点、
Ｓ１１〜１４，Ｓ２１〜２４：接点、
Ｒ１：抵抗（信号迂回路）、
Ｒ２〜Ｒ５：抵抗
【図１】
0005671496.tif 000002
【図２】
0005671496.tif 000003
【図３】
0005671496.tif 000004
【図４】
0005671496.tif 000005
【図５】
0005671496.tif 000006
【図６】
0005671496.tif 000007